(57)【要約】  本発明は、油性基剤を良好にゲル化させることができる、新規なゲル化剤を提供する。  本発明は、式（１）で表されるペプチド化合物を含有する、油性基剤のゲル化剤に関し、さらに、（Ａ）該油性基剤のゲル化剤、及び（Ｂ）油性基剤を含有するゲル状組成物に関する。式（１）：2014189014.tif 000008［式中の記号は、明細書に記載の通りである。］
2014189014.tif 000002
【特許請求の範囲】
【請求項１】
式（１）：
【化１】
2014189014.tif 000007
［式（１）中、Ｒ１、Ｒ２ａ、Ｒ２ｂおよびＲ２ｃはそれぞれアルキル基であり、ａおよびｂは０または２の整数を表し、（ａ，ｂ）＝（０，２）または（ａ，ｂ）＝（２，０）である。］
で表されるペプチド化合物を含有する油性基剤のゲル化剤。
【請求項２】
Ｒ１が炭素原子数３〜２１のアルキル基であり、Ｒ２ａ、Ｒ２ｂおよびＲ２ｃがそれぞれ炭素原子数１〜１０のアルキル基である、請求項１に記載の油性基剤のゲル化剤。
【請求項３】
Ｒ１が１−エチルペンチル基もしくはウンデシル基であり、Ｒ２ａ、Ｒ２ｂおよびＲ２ｃがいずれもブチル基である、請求項１または２に記載の油性基剤のゲル化剤。
【請求項４】
（Ａ）請求項１〜３のいずれか１項に記載の油性基剤のゲル化剤、および（Ｂ）油性基剤を含有するゲル状組成物。
【請求項５】
（Ｂ）油性基剤が、シリコーン油、エステル油、炭化水素、高級アルコール及び脂肪酸からなる群より選択される１種または２種以上である、請求項４に記載のゲル状組成物。
【請求項６】
ゲル状組成物全量に対し、（Ａ）の配合量が、式（１）で表されるペプチド化合物の量にして０．０１〜２０質量％である、請求項４または５に記載のゲル状組成物。
【請求項７】
形状が棒状である、請求項４〜６のいずれか１項に記載のゲル状組成物。
【請求項８】
制汗剤、リップスティックまたは口紅である、請求項４〜７のいずれか１項に記載のゲル状組成物。
【発明の詳細な説明】
【技術分野】
【０００１】
本発明は、油性基剤のゲル化剤に関する。さらに詳しくは、特定のペプチド化合物を含有する、油性基剤のゲル化剤に関する。本発明のゲル化剤は、常温で液体状を呈する油性基剤をゲル化して形態を多様化するために有用である。
【背景技術】
【０００２】
従来、油性基剤のゲル化剤としては、一般的には１２−ヒドロキシステアリン酸、パルミチン酸デキストリン、ジベンジリデン−Ｄ−ソルビトールに代表される芳香族アルデヒドと多価アルコールとの縮合物などが知られている。しかしながらこれらのゲル化剤は、油性基剤を十分にゲル化させるためには、多量に添加する必要があり、油性基剤の有する感触を損なうなどの課題があった。【０００３】
一方近年、天然の脂肪酸とアミノ酸を原料とする２鎖３親水基のジェミニ（双子）型両親媒性化合物に油性ゲル形成機能があることが見いだされている（特許文献１、２参照）。この化合物は、ペプチド構造（２つのグルタミン酸および１つのリシンを含む）を有し、これにより油性ゲル形成機能に加え、優れたスキンケア機能、ヘアケア機能などを有する点で有用である。またアミノ酸やペプチドなどの、天然由来の材料により得られる化合物は、安全性の観点や、近年高まる天然嗜好の傾向からも、ニーズが高まっていた。【０００４】
よって、このようにペプチド構造を有しつつ、優れたゲル化能を有する油性基剤のゲル化剤が求められていた。
【先行技術文献】
【特許文献】
【０００５】
【特許文献１】特開２００６−２２５４０３号公報
【特許文献２】特開２００７−１８６４９８号公報
【発明の概要】
【発明が解決しようとする課題】
【０００６】
本発明の課題は、油性基剤を良好にゲル化させることができる、新規なゲル化剤を提供することである。
【課題を解決するための手段】
【０００７】
本発明者らは、上記課題に鑑み鋭意研究した結果、特定のペプチド化合物が優れたゲル化能を有することを見出し、本発明を完成するに至った。さらに驚くべきことに、当該新規ゲル化剤は、ゲル化された油性基剤が経時変化によりゲル状組成物の表面からにじみ出る、いわゆる「発汗現象」を抑制することができることを見出した。【０００８】
即ち、本発明は、以下の態様を含む。
［１］式（１）：【０００９】
【化１】
2014189014.tif 000003
【００１０】
［式（１）中、Ｒ１、Ｒ２ａ、Ｒ２ｂおよびＲ２ｃはそれぞれアルキル基であり、ａおよびｂは０または２の整数を表し、（ａ，ｂ）＝（０，２）または（ａ，ｂ）＝（２，０）である。］
で表されるペプチド化合物を含有する油性基剤のゲル化剤。
［２］Ｒ１が炭素原子数３〜２１のアルキル基であり、Ｒ２ａ、Ｒ２ｂおよびＲ２ｃがそれぞれ炭素原子数１〜１０のアルキル基である、上記［１］に記載の油性基剤のゲル化剤。
［３］Ｒ１が１−エチルペンチル基もしくはウンデシル基であり、Ｒ２ａ、Ｒ２ｂおよびＲ２ｃがいずれもブチル基である、上記［１］または［２］に記載の油性基剤のゲル化剤。
［４］（Ａ）上記［１］〜［３］のいずれかに記載の油性基剤のゲル化剤、および（Ｂ）油性基剤を含有するゲル状組成物。
［５］（Ｂ）油性基剤が、シリコーン油、エステル油、炭化水素、高級アルコール及び脂肪酸からなる群より選択される１種または２種以上である、上記［４］に記載のゲル状組成物。
［６］ゲル状組成物全量に対し、（Ａ）の配合量が、式（１）で表されるペプチド化合物の量にして０．０１〜２０質量％である、上記［４］または［５］に記載のゲル状組成物。
［７］形状が棒状である、上記［４］〜［６］のいずれかに記載のゲル状組成物。
［８］制汗剤、リップスティックまたは口紅である、上記［４］〜［７］のいずれかに記載のゲル状組成物。
【発明の効果】
【００１１】
本発明の油性基剤のゲル化剤は、少量の添加で油性基剤を良好にゲル化させることができ、かつ、油性基剤がゲル状組成物の表面からにじみ出る、いわゆる「発汗現象」を抑制することができる。またペプチド構造を有するため、優れたスキンケア機能、ヘアケア機能が期待できる。
【発明を実施するための形態】
【００１２】
本発明の油性基剤のゲル化剤は、特定のペプチド化合物を含有する。
ここで、本明細書において「ゲル化剤」とは、液体を増粘し、ゼリー状もしくは固形状にまで変化させる物質または組成物をいう。本発明においては特に、油性の液体（油性基剤）に対するゲル化剤として有用である。
【００１３】
〔ペプチド化合物〕
本発明の油性基剤のゲル化剤に含有されるペプチド化合物は、式（１）で表される化合物である。
式（１）：
【００１４】
【化２】
2014189014.tif 000004
【００１５】
［式（１）中、Ｒ１、Ｒ２ａ、Ｒ２ｂおよびＲ２ｃはそれぞれアルキル基であり、ａおよびｂは０または２の整数を表し、（ａ，ｂ）＝（０，２）または（ａ，ｂ）＝（２，０）である。］
【００１６】
式（１）中、Ｒ１で示されるアルキル基は直鎖または分枝鎖のいずれであってもよく、炭素原子数３〜２１のアルキル基であることが好ましい。
かかるアルキル基としては、プロピル基、イソプロピル基、ブチル基、イソブチル基、ｓｅｃ−ブチル基、ｔｅｒｔ−ブチル基、ペンチル基、ｓｅｃ−ペンチル基、ｔｅｒｔ−ペンチル基、イソペンチル基、ヘキシル基、ヘプチル基、１−エチルペンチル基、オクチル基、２−エチルヘキシル基、ｔｅｒｔ−オクチル基、ノニル基、イソノニル基、デシル基、イソデシル基、ウンデシル基、ドデシル基、トリデシル基、イソトリデシル基、テトラデシル基、ペンタデシル基、ヘキサデシル基、オクタデシル基、イソオクタデシル基、２−ヘプチルウンデシル基、イコシル基、ヘンイコシル基等が挙げられる。少量で有効なゲル強度を付与できるという観点から、炭素原子数５〜１７のアルキル基であることがより好ましく、炭素原子数７〜１３のアルキル基であることがさらに好ましく、１−エチルペンチル基またはウンデシル基であることが最も好ましい。
【００１７】
式（１）中、Ｒ２ａ、Ｒ２ｂ、Ｒ２ｃで示されるアルキル基は直鎖または分枝鎖のいずれであってもよく、同一であっても異なっていてもよい。Ｒ２ａ、Ｒ２ｂ、Ｒ２ｃで示されるアルキル基としては、炭素原子数１〜１０のアルキル基が好ましい。
かかるアルキル基としては、メチル基、エチル基、イソプロピル基、プロピル基、ブチル基、イソブチル基、ｓｅｃ−ブチル基、ｔｅｒｔ−ブチル基、ペンチル基、ｓｅｃ−ペンチル基、ｔｅｒｔ−ペンチル基、イソペンチル基、ヘキシル基、ヘプチル基、オクチル基、２−エチルヘキシル基、ｔｅｒｔ−オクチル基、ノニル基、イソノニル基、デシル基、イソデシル基等が挙げられる。少量で有効なゲル強度を付与できるという観点から、炭素原子数３〜６のアルキル基であることがより好ましく、Ｒ２ａ、Ｒ２ｂ、Ｒ２ｃで示されるアルキル基がすべてブチル基であることがさらに好ましい。
【００１８】
式（１）中、ａおよびｂは０または２の整数を表し、（ａ，ｂ）＝（０，２）または（ａ，ｂ）＝（２，０）である。すなわち、ａが０である場合はｂは２であり、ａが２である場合はｂは０である。
【００１９】
式（１）で表されるペプチド化合物は、アミノ酸残基上に不斉炭素を有するが、この不斉炭素に基づくＤＬ体比（Ｄ体／Ｌ体（質量／質量））は特に定めない。
【００２０】
式（１）で表されるペプチド化合物は、自体公知の方法に従って、Ｎ−アシルグルタミン酸無水物、グルタミン酸塩およびアルキルアミンにより製造することができる。
【００２１】
〔油性基剤のゲル化剤〕
本発明においては、上記式（１）で表されるペプチド化合物をそのまま用い、またはセチルアルコール、ステアリルアルコール、ステアリン酸、硬化油、固形パラフィン等の賦形剤等の添加剤を加えて、粉末状の油性基剤のゲル化剤として提供することができ、また、前記ペプチド化合物を、エタノール、イソプロパノール、ジプロピレングリコール等の溶剤に溶解または懸濁して、液状または懸濁液状の油性基剤のゲル化剤として提供することもできる。なお、本発明の目的には、粉末状の形態で提供することが好ましい。
本発明の油性基剤のゲル化剤全量に対する式（１）で表されるペプチド化合物の含有量は、０．１質量％〜１００質量％であることが好ましく、１．０質量％〜１００質量％であることがより好ましい。
【００２２】
本発明の油性基剤のゲル化剤によりゲル化させ得る油性基剤としては、化粧料や医薬部外品に一般的に用いられる油性基剤であれば特に限定されず、例えば、メチルポリシロキサン、高重合メチルポリシロキサン、ポリオキシエチレン・メチルポリシロキサン共重合体、ポリオキシプロピレン・メチルポリシロキサン共重合体、ポリ（オキシエチレン、オキシプロピレン）・メチルポリシロキサン共重合体、ステアロキシメチルポリシロキサン、ステアロキシトリメチルシラン、メチルハイドロジェンポリシロキサン、オクタメチルポリシロキサン、デカメチルポリシロキサン、デカメチルシクロペンタシロキサン、オクタメチルシクロテトラシロキサン、テトラヒドロテトラメチルシクロテトラシロキサン、メチルシクロポリシロキサン、ドデカメチルシクロヘキサシロキサン、メチルフェニルポリシロキサン、トリメチルシロキシケイ酸、アミノエチルアミノプロピルシロキサン・ジメチルシロキサン共重合体、シラノール変性ポリシロキサン、アルコキシ変性ポリシロキサン、脂肪酸変性ポリシロキサン、フッ素変性ポリシロキサン、エポキシ変性ポリシロキサン、アルコキシ変性ポリシロキサンパーフルオロポリエーテル、ポリ酢酸ビニルジメチルポリシロキサンなどのシリコーン油；ミリスチン酸ミリスチル、ラウリン酸ヘキシル、オレイン酸デシル、ミリスチン酸イソプロピル、ジメチルオクタン酸ヘキシルデシル、モノステアリン酸グリセリン、トリ−２−エチルヘキサン酸グリセリル、フタル酸ジエチル、モノステアリン酸エチレングリコール、オキシステアリン酸オクチル、安息香酸アルキルエステル等のエステル油；流動パラフィン、ポリイソブテン、ワセリン、スクワラン等の炭化水素；セチルアルコール、イソステアリルアルコール、ラウリルアルコール、ヘキシルデカノール、オクチルドデカノール等の高級アルコール；イソステアリン酸、ウンデシレン酸、オレイン酸等の脂肪酸；ラノリン、還元ラノリン、カルナウバロウ等のロウ；ミンク油、カカオ油、ヤシ油、パーム核油、ツバキ油、ゴマ油、ヒマシ油、オリーブ油等の油脂；エチレン・α−オレフィン・コオリゴマー等が挙げられる。
本発明の油性基剤のゲル化剤によりゲル化される油性基剤としては、シリコーン油、エステル油、炭化水素、高級アルコール及び脂肪酸が好ましく、シリコーン油、エステル油、炭化水素及び高級アルコールがより好ましい。
【００２３】
〔ゲル状組成物〕
本発明はさらに、（Ａ）上記した式（１）で表されるペプチド化合物を含有する油性基剤のゲル化剤、および（Ｂ）油性基剤を含有するゲル状組成物を提供する。
【００２４】
本発明のゲル状組成物に含有される（Ｂ）油性基剤としては、上記に記載した油性基剤が挙げられ、それら油性基剤より１種または２種以上を選択して用いることができる。
本発明の目的には、シリコーン油、エステル油、炭化水素、高級アルコール及び脂肪酸からなる群より選択した１種または２種以上を用いることが好ましく、シリコーン油、エステル油、炭化水素及び高級アルコールからなる群より選択した１種または２種以上を用いることがより好ましい。
【００２５】
本発明のゲル状組成物における上記（Ａ）の油性基剤のゲル化剤の配合量としては、油性基剤がゲル化される限り別段制限はない。ゲル強度及び上記した「発汗現象」の抑制効果に優れたゲル状組成物が得られるという観点から、ゲル状組成物全量に対する（Ａ）の油性基剤のゲル化剤の配合量（質量％）の下限値は、上記した式（１）で表されるペプチド化合物の量にして０．０１質量％が好ましく、０．０３質量％がより好ましく、０．０５質量％が更に好ましく、０．１質量％が一層好ましい。また、使用感に優れたゲル状組成物が得られるという観点から、ゲル状組成物全量に対する（Ａ）の油性基剤のゲル化剤の配合量（質量％）の上限値は、上記した式（１）で表されるペプチド化合物の量にして２０質量％が好ましく、１０質量％がより好ましく、７質量％が更に好ましく、５質量％が更に一層好ましく、３質量％が最も好ましい。
【００２６】
本発明のゲル状組成物における上記（Ｂ）の油性基剤の配合量は、ゲル化が進行しさえすれば特段制限はない。ゲル状組成物全量に対する（Ｂ）の油性基剤の配合量（質量％）の下限値は、ゲルネットワークが形成され保持されるという観点から、１０質量％が好ましく、２０質量％がより好ましく、３０質量％が更に好ましく、５０質量％が更に一層好ましく、７０質量％が最も好ましい。ゲル状組成物全量に対する（Ｂ）の油性基剤の配合量（質量％）の上限値は、効率的にゲルが形成され得るという観点から、９９．９９質量％が好ましく、９９．９質量％がより好ましく、９９質量％が更に好ましく、９８質量％が一層好ましい。
【００２７】
本発明のゲル状組成物には、各種キレート剤、制汗活性成分、界面活性剤、各種添加剤、各種粉体等の通常化粧料に使用し得る成分を、本発明の効果を阻害しない範囲で配合することができる。
本発明において、ゲル状組成物とは、狭義には（Ａ）の油性基剤のゲル化剤と、（Ｂ）の油性基剤のみからなる組成物を意味し、また、広義には、更に上記の各種添加成分をも含む最終製品としての化粧料、芳香剤、医薬部外品等をも意味するものである。
【００２８】
本発明のゲル状組成物に配合し得る各種キレート剤としては、特に制限はないが、好ましくはトリエチレンテトラミン、２−テノイルトリフルオロアセトン、チオグリコール酸、酒石酸、コハク酸、８−キノリノール、ピリジン−２，６−ジカルボン酸、ピリジン、１，１０−テナントロリン、乳酸、８−ヒドロキシキノリン−５−スルホン酸、グリシン、２，２’−ピリジルエチレンジアミン、オーリントリカルボン酸、キシレノールオレンジ、５−スルホサリチル酸、サリチル酸、ピロカテコール−３，５−ジスルホネート、４，５−ジヒドロキシベンゼン−１，３−ジスルホン酸、１，２−ジアミノシクロヘキサン−Ｎ，Ｎ，Ｎ’，Ｎ’−四酢酸、クエン酸、オキサレート、ニトリロ三酢酸、エチレンジアミン−Ｎ，Ｎ，Ｎ’，Ｎ’−四酢酸、アセチルアセトン及びこれらの塩が挙げられ、これらより１種を選択して単独で用いてもよく、２種以上を併用してもよい。
【００２９】
本発明のゲル状組成物に配合し得る制汗活性成分とは、皮膚を強力に収斂させることによって汗の発生を抑える成分をいう。かかる制汗活性成分としては、クロルヒドロキシアルミニウム、塩化アルミニウム、アラントインクロルヒドロキシアルミニウム、硫酸アルミニウム、酸化亜鉛、パラフェノールスルホン酸亜鉛、ならびに、ジルコニルクロリドをアルミニウムヒドロキシド及びアルミニウムクロルヒドロキシドと反応させて製造されたジルコニウムアルミニウム複合体が挙げられ、これらより１種を選択して単独で用いてもよく、２種以上を併用してもよい。
【００３０】
本発明のゲル状組成物に配合し得る界面活性剤としては、例えば、Ｎ−長鎖アシル酸性アミノ酸塩やＮ−長鎖アシル中性アミノ酸塩などのＮ−長鎖アシルアミノ酸塩、Ｎ−長鎖アシル−Ｎ−メチルタウリン塩、アルキルサルフェート及びそのアルキレンオキシド付加物、脂肪酸アミドエーテルサルフェート、脂肪酸の金属塩及び弱塩基塩、スルホコハク酸系界面活性剤、アルキルフォスフェート及びそのアルキレンオキシド付加物、アルキルエーテルカルボン酸等のアニオン界面活性剤；グリセリンエーテル及びそのアルキレンオキシド付加物などのエーテル型界面活性剤、グリセリンエステルのアルキレンオキシド付加物、ソルビタンエステルのアルキレンオキシド付加物などのエーテルエステル型界面活性剤、ポリオキシアルキレン脂肪酸エステル、グリセリンエステル、脂肪酸ポリグリセリンエステル、ソルビタンエステル、ショ糖脂肪酸エステルなどのエステル型界面活性剤、アルキルグルコシド類、硬化ヒマシ油ピログルタミン酸ジエステル及びそのエチレンオキシド付加物、ならびに脂肪酸アルカノールアミドなどの含窒素型界面活性剤等のノニオン界面活性剤；アルキルアンモニウムクロライド、ジアルキルアンモニウムクロライドなどの第４級アンモニウム塩、ベンザルコニウム塩などの芳香族第４級アンモニウム塩、Ｎ−アシルアルギニンエステル等のカチオン界面活性剤；並びに、アルキルカルボキシベタイン、アルキルアミドベタインなどのベタイン型界面活性剤、Ｎ，Ｎ−ジアルキルアミノアルキレンカルボン酸などのアミノカルボン酸型界面活性剤、２−アルキル−１−ヒドロキシエチル−１−カルボキシメチルイミダゾリニウムベタインなどのイミダゾリン型界面活性剤、３−（ラウロイルアミノ）−Ｎ，Ｎ−ジメチルプロパン−１−アミンＮ−オキシドなどのアミンオキシド型界面活性剤等の両性界面活性剤等が挙げられる。
本発明のゲル状組成物には、上記界面活性剤より１種を選択して単独で配合してもよく、２種以上を併用して配合してもよい。
【００３１】
本発明のゲル状組成物に配合し得る各種添加剤としては、例えば、グリシン、アラニン、セリン、スレオニン、アルギニン、グルタミン酸、アスパラギン酸、イソロイシン、ロイシン、バリンなどのアミノ酸類；グリセリン、エチレングリコール、１，３−ブチレングリコール、プロピレングリコール、イソプレングリコールなどの多価アルコール；ポリグルタミン酸、ポリアスパラギン酸を含むポリアミノ酸及びその塩、ポリエチレングリコール、アラビアゴム類、アルギン酸塩、キサンタンガム、ヒアルロン酸、ヒアルロン酸塩、キチン、キトサン、水溶性キチン、カルボキシビニルポリマー、カルボキシメチルセルロース、ヒドロキシエチルセルロース、ヒドロキシプロピルトリメチルアンモニウムクロライド、ポリ塩化ジメチルメチレンピペリジウム、ポリビニルピロリドン誘導体第４級アンモニウム、カチオン化プロテイン、コラーゲン分解物及びその誘導体、アシル化タンパク、ポリグリセリンなどの水溶性高分子；マンニトールなどの糖アルコール及びそのアルキレンオキシド付加物；エタノール、プロパノールなどの低級アルコール等の他、動植物抽出物、核酸、ビタミン、酵素、抗炎症剤、殺菌剤、防腐剤、抗酸化剤、紫外線吸収剤、色素、レーキ色素、酸化染料、ｐＨ調整剤、パール剤、湿潤剤等を挙げることができる。
本発明においては、必要に応じて、上記した添加剤より１種または２種以上を選択して用いることができる。
【００３２】
各種粉体としては、例えば、ナイロンパウダー、ナイロンビーズ、シリコーンビーズ等の樹脂粉体、金属脂肪酸石鹸、アシルリジン、アシルグルタミン酸、アシルアルギニン、アシルグリシン等のアシルアミノ酸等の有機粉体；黄酸化鉄、赤色酸化鉄、黒酸化鉄、酸化クロム、酸化コバルト、カーボンブラック、群青、紺青、酸化亜鉛、酸化チタン、酸化ジルコニウム、酸化珪素、酸化アルミニウム、酸化セリウム、雲母チタン、窒化ホウ素、硫酸バリウム、炭酸カルシウム、炭酸マグネシウム、珪酸アルミニウム、珪酸マグネシウム、炭化珪素、セリサイト、マイカ、タルク、カオリン、板状硫酸バリウム、バタフライ状硫酸バリウム、微粒子酸化チタン、微粒子酸化亜鉛、微粒子酸化鉄等の無機顔料が挙げられ、これらは更にシリコーン処理、フッ素化合物処理、シランカップリング剤処理、シラン処理有機チタネート処理、アシル化リジン処理、脂肪酸処理、金属石鹸処理、油剤処理、アミノ酸処理等の表面処理が施してあってもかまわない。
本発明においては、必要に応じて、上記した粉体より１種または２種以上を選択して用いることができる。
【００３３】
本発明のゲル状組成物の形状は特に限定されるものではないが、例えばペースト状、クリーム状等の半固形状、粒状、棒状、球状、シート状等の固形状の形状で提供することができ、特に棒状の形状で提供することが好ましい。
【００３４】
本発明のゲル状組成物は、（Ａ）油性基剤のゲル化剤を（Ｂ）油性基剤に添加して加熱溶解し、必要により他の添加成分を加えて均一に混合した後、びん、ジャー等の容器、または棒状等所望の形状を有する型に充填し、次いで室温に冷却することにより調製することができる。
また、粒状のゲル状組成物は、固化したゲルの粉砕、水相中に乳化した油滴のゲル化等により調製することができる。
【００３５】
本発明は、さらに、上記した本発明のゲル状組成物を含有する、またはそれ自体が本発明のゲル状組成物である、化粧料または医薬部外品を提供する。
本発明の化粧料または医薬部外品は、形状および大きさを問わず、具体的には、制汗剤、洗顔料、クレンジングジェル、乳液、マッサージクリーム、コールドクリーム、モイスチャージェル、パック、アフターシェイビングジェル、ファンデーション、リップスティック、口紅、チーク、マスカラ、シャンプー、リンス、育毛剤、トリートメント、ヘアコンディショナー、チック、セットローション、ヘアクリーム、ヘアワックス、ヘアムース、パーマ液、染毛剤、ヘアカラー、ヘアマニキュア、日焼け止めオイル、ハンドソープ、芳香剤及び湿布薬等として提供され、好ましくは、制汗剤、リップスティックまたは口紅等の棒状の形状を有する化粧料または医薬部外品として提供される。
【実施例】
【００３６】
次に、実施例により本発明を更に詳細に説明するが、本発明は以下の実施例に限定されるものではない。【００３７】
［合成例１］ペプチド化合物の合成
式（２）で表されるペプチド化合物を以下の通り合成した。
式（２）：【００３８】
【化３】
2014189014.tif 000005
（２）【００３９】
［式（２）中、ａおよびｂは０または２の整数を表し、（ａ，ｂ）＝（０，２）または（ａ，ｂ）＝（２，０）である。］【００４０】
＜合成方法＞
Ｎ−ラウロイル−Ｌ−グルタミン酸無水物３１．１ｇ（０．１ｍｏｌ）をトルエン４００ｍＬに加え、９５℃で攪拌溶解した。これにグルタミン酸ナトリウム一水和物１８．７ｇ（０．１ｍｏｌ）を加え、５時間加熱還流攪拌を続けた後、室温まで放冷した。濃硫酸にてｐＨを１にし、析出した固体をろ過、乾燥し、３０．６ｇの固体を得た（収率６７％）。続いて、得られた固体３０．６ｇ（０．０６７ｍｏｌ）をメタノール３００ｍＬに懸濁させ、濃硫酸０．６６ｇ（０．００６７ｍｏｌ）を加え、５時間加熱還流撹拌を行った。その後メタノールを減圧下留去し、ブチルアミンを４９ｇ（０．６７ｍｏｌ）加え、再びこの溶液を５時間加熱還流した。過剰なブチルアミンを減圧下留去し、残渣を水で洗浄後、クロマトグラフィーにて精製し、目的物を４１．８ｇ（収率５０％）得た。
ＮＭＲ：１Ｈ−ＮＭＲピーク（ＣＤ３ＯＤ）  δ：０．９０−０．９７（ｍ，１２Ｈ）、１．３１−１．４０（ｍ，２２Ｈ）、１．４５−１．５５（ｍ，６Ｈ）、１．５５−１．７０（ｍ，２Ｈ）、１．８０−２．２２（ｍ，４Ｈ）、２．２４−２．３８（ｍ，６Ｈ）、３．１６−３．２２（ｍ，６Ｈ）、４．１８−４．３８（ｍ，２Ｈ）【００４１】
ＮＭＲ測定条件：核磁気共鳴装置（ＢＲＵＫＥＲ社製、ＡＶＡＮＣＥ  ４００）を用い、テトラメチルシランのピークを０ｐｐｍとして測定を行った。【００４２】
＜油性基剤のゲル化剤の評価＞
［ゲル化能］
シクロペンタシロキサン／オクチルドデカノール（８０／２０（質量比）混合物）［（Ｂ）成分］６ｇに、表１に示す実施例１及び比較例１〜３の各油性基剤のゲル化剤をそれぞれ１質量％となるように添加し、３０ｍＬサンプル管瓶に入れ加熱溶解した。溶解後、２５℃の室温下に２４時間静置し、ゲル状組成物を得た。得られたゲル状組成物のゲル強度をレオメータ（ＦＵＤＯＨ  ＲＨＥＯ  ＭＥＴＥＲ  ＮＲＭ−２０１０−Ｊ−ＣＷ）にて測定し、以下の評価基準でゲル化能を評価した。アダプターはプルーム用・粘弾性用、１０φを用い、試料台速度は６ｃｍ／ｍｉｎとした。結果を表１に示す。
＜評価基準＞
○：ゲル強度が３０ｇ以上
△：ゲル強度が１ｇ以上３０ｇ未満
×：ゲル化しない【００４３】
［発汗現象の抑制作用］
上記と同様の手順にてゲル状組成物を得、得られたゲル状組成物における「発汗現象」、すなわちゲル状組成物の表面から油性基剤がにじみ出る現象の発生の有無を目視にて観察し、以下の評価基準で発汗現象の抑制作用を評価した。結果を表１に示す。
＜評価基準＞
○：発汗現象が見られない
×：発汗現象が見られる【００４４】
なお、本実験に使用した（Ａ）成分および（Ｂ）成分は以下のとおりである。
（ｉ）ジラウロイルグルタミン酸リシンナトリウム：旭化成ケミカルズ株式会社製、「ペリセア  L−３０」
（ｉｉ）パルミチン酸デキストリン：千葉製粉株式会社製、「レオパール  ＬＫ２」
（ｉｉｉ）１２−ヒドロキシステアリン酸：東京化成工業株式会社製、試薬
（ｉｖ）シクロペンタシロキサン：東レ・ダウコーニング株式会社製、「ＳＨ２４５」
（ｖ）オクチルドデカノール：高級アルコール工業株式会社製、「リソノール２０ＳＰ」【００４５】
【表１】
2014189014.tif 000006
【００４６】
表１に示されるように、本発明の実施例１の油性基剤のゲル化剤は、１質量％の添加で十分な強度を有するゲルを形成することができ、これを含有するゲル状組成物においては、発汗現象が抑制された。
一方、既存の油性基剤のゲル化剤（比較例１〜３）を１質量％添加した場合には、ゲルの形成が認められなかった。
すなわち、合成例１のペプチド化合物を含有する本発明の油性基剤のゲル化剤は、他の既存の油性基剤のゲル化剤と比較して、少量の添加で油性基剤をゲル化させることができ、かつ「発汗現象」を抑制することが確かめられた。
【産業上の利用可能性】
【００４７】
本発明により、少量の添加で油性基剤をゲル化させることができ、かつ「発汗現象」を抑制することのできる油性基剤のゲル化剤を提供することができる。
また、本発明により、「発汗現象」の抑制された良好なゲル状組成物を提供することができる。【００４８】
本出願は日本国で出願された特願２０１３−１０６６０４（出願日：２０１３年５月２０日）を基礎としており、その内容は本明細書に全て包含されるものである。
【国際調査報告】
2014189014.tif 000009
2014189014.tif 000010